(57)【要約】【課題】抜取待ち状態の記憶媒体が、後に排出された記憶媒体に押し出されて外部に落下することを防止し得る各台装置を提供する。【解決手段】台間カード処理機５は、カード処理部２２と、制御部２９とを備える。カード処理部２２は、複数のカードが収納可能な収納室と、台間カード処理機５の外部に臨み、カードが排出される出入口と、収納室からカードを出入口へと移動させる移送機構と、カードに対する情報の読取及び／または書込を行うリーダライタ部とを含む。制御部２９は、出入口にカードが存在している場合に、収納室内のカードを出入口に排出させるためのカードに関わる動作を制限する。【選択図】図３
2019042443.tif 000002
【特許請求の範囲】
【請求項１】
有価価値に基づいて遊技媒体の貸与処理を行うため、遊技台に対応して設けられる各台装置において、
複数の記憶媒体が収納可能な収納部と、
前記各台装置の外部に臨み、記憶媒体が排出される排出口と、
前記収納部内から記憶媒体を前記排出口へと移動させる移送部と、
記憶媒体に対する情報の読取及び／または書込を行う情報処理部と、
前記排出口に記憶媒体が存在している場合に、前記収納部内の記憶媒体を前記排出口に排出させるための記憶媒体に関わる動作を制限する動作制限部と、
を備えることを特徴とする各台装置。
【請求項２】
前記動作制限部は、記憶媒体に関わる動作を制限する場合においても、前記情報処理部による読取および／または書込を行い得る情報処理位置までの記憶媒体の移送を許容し、この情報処理位置に記憶媒体が位置する場合に、その前端部と、前記排出口にある記憶媒体の後端部とが接触しない、
ことを特徴とする請求項１に記載の各台装置。
【請求項３】
前記動作制限部は、前記収納部に関連して設けられ、前記排出口に記憶媒体が存在する間、前記移送部による前記収納部からの記憶媒体の取り出しを阻止する阻止部を含む、
ことを特徴とする請求項１に記載の各台装置。
【請求項４】
前記動作制限部は、記憶媒体が前記排出口から抜き取られると、前記動作の制限を解除する、
ことを特徴とする請求項１ないし３の何れか一項に記載の各台装置。
【請求項５】
前記排出口から記憶媒体が抜き取られたか否かを検知するための検知部を、さらに備える、
ことを特徴とする請求項１ないし４の何れか一項に記載の各台装置。
【発明の詳細な説明】
【技術分野】
【０００１】
本発明は、現金、プリペイド価値等の有価価値に基づいて遊技媒体の貸し出しを行うため、遊技台に対応して設けられる各台装置に関する。
【背景技術】
【０００２】
パチンコ店などの遊技施設では、パチンコ台、パチスロ台などの遊技台にパチンコ玉、メダルなどの遊技媒体を貸し出すため、各台装置である台間カード処理機が遊技台に併設されている。
【０００３】
台間カード処理機には、現金（紙幣）やカードが投入される。カードには、有価価値としてプリペイド価値などが関連付けられている。遊技客は、まず、台間カード処理機に現金やカードを投入した後、遊技媒体を貸し出すための操作を行うと、台間カード処理機によって遊技媒体の貸出処理が行われ、貸出処理された遊技媒体の数量分の有価価値が、元の有価価値から差し引かれる。
【０００４】
遊技客が遊技台での遊技を終えた際に、台間カード処理機に残有価価値があれば、遊技客は、カードを返却させるための操作を行うことで、それらを返却させることができる。台間カード処理機は、有価価値を関連付けるためのカードが複数枚収納された収納部を有しており、当該収納部に予め収納されていたカードに残有価価値を関連付けて排出することができる。カードに関連付けられる有価価値としては、プリペイド価値以外に、遊技客が台ごとに設けられた計数装置で計数した遊技媒体数あるいは遊技台で獲得した遊技媒体数を電子的に加算した遊技媒体数（以降、「持玉数」と称することもある）なども含まれ得る。
【０００５】
例えば、特許文献１に、上記のような台間カード処理機の一例が記載されている。
【先行技術文献】
【特許文献】
【０００６】
【特許文献１】特開２００７−３７７０２号公報
【発明の概要】
【発明が解決しようとする課題】
【０００７】
台間カード処理機の出入口にカードが排出されると、当該出入口にカードが保持される場合は、カードが抜き取られるのを待つ状態となる。このようなカードの抜取待ち状態においても、新たにカードの排出が行われる場合が想定され得る。たとえば、先のカードが返却された後、遊技台で獲得した遊技媒体をカードに関連付けて排出する場合が考えられる。この場合、新たなカードが無条件に出入口に排出されると、抜取待ち状態であった先のカードが新たなカードに押し出されて台間カード処理機の外部に落下してしまう虞があり、カードの紛失や破損が生じてしまう虞がある。
【０００８】
そこで、本発明は、抜取待ち状態の記憶媒体が、紛失・破損する危険性を低減し得る各台装置を提供することを目的とする。
【課題を解決するための手段】
【０００９】
本発明の主たる態様は、有価価値に基づいて遊技媒体の貸与処理を行うため、遊技台に対応して設けられる各台装置に関する。本態様に係る各台装置は、複数の記憶媒体が収納可能な収納部と、前記各台装置の外部に臨み、記憶媒体が排出される排出口と、前記収納部内から前記排出口へと移動させる移送部と、記憶媒体に対する情報の読取および／または書込を行う情報処理部と、前記排出口に記憶媒体が存在している場合に、前記収納部内の記憶媒体を前記排出口に排出させるための記憶媒体に関わる動作を制限する動作制限部と、を備える。
【００１０】
上記の構成によれば、排出口に記憶媒体が存在している状態では、収納部内の記憶媒体が新たに排出口に排出する動作が制限される。これにより、抜取待ちの記憶媒体が新たな記憶媒体に押し出されて外部に落下してしまう危険性を低減できる。
【００１１】
本態様に係る各台装置において、前記動作制限部は、記憶媒体に関わる動作を制限する場合においても、前記情報処理部による読取および／または書込を行い得る情報処理位置までの記憶媒体の移送を許容し、この情報処理位置に記憶媒体が位置する場合に、その前端部と、前記排出口にある記憶媒体の後端部とが接触しないような構成とされ得る。
【００１２】
上記の構成によれば、排出口の記憶媒体が抜き取られるのを待つ間に収納部から出された記憶媒体に対して前記情報処理部による読取および／または書込を行うことができるので、遊技客が記憶媒体を排出口から抜き取った後に、素早く、新たな記憶媒体を排出口に排出させることができる。
【００１３】
本態様に係る各台装置において、前記動作制限部は、前記収納部に関連して設けられ、前記排出口に記憶媒体が存在する間、前記移送部による前記収納部からの記憶媒体の取り出しを阻止する阻止部を含み得る。
【００１４】
上記の構成によれば、排出口に記憶媒体に存在する間、収納部内の記憶媒体が新たに排出口に排出されるのを防止できるので、抜取待ちの記憶媒体が新たな記憶媒体に押し出されて外部に落下してしまうことが防止される。
【００１５】
本態様に係る各台装置において、前記動作制限部は、記憶媒体が前記排出口から抜き取られると、前記動作の制限を解除するような構成とされ得る。
【００１６】
上記の構成によれば、記憶媒体が前記排出口から抜き取られると、収納部の記録媒体を新たに排出口に排出させることが可能となる。
【００１７】
本態様に係る各台装置において、前記排出口から記憶媒体が抜き取られたか否かを検知するための検知部を、さらに備えるような構成が採られ得る。
【００１８】
上記の構成によれば、検知部の検知結果により、排出口から記憶媒体が抜き取られたか否かを判定できる。
【発明の効果】
【００１９】
本発明によれば、抜取待ち状態の記憶媒体が、紛失・破損する危険性を低減し得る各台装置を提供することができる。
【００２０】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２１】
【図１】図１は、実施形態に係る、遊技システムの構成を示すブロック図である。
【図２】図２は、実施形態に係る、パチンコ台および台間カード処理機の構成を示す図である。
【図３】図３は、実施形態に係る、台間カード処理機の構成を示すブロック図である。
【図４】図４は、実施形態に係る、カード処理部の内部構造を模式的に示す平面図である。
【図５】図５（ａ）ないし（ｃ）は、実施形態に係る、収納部からカードを繰り出して出入口に排出するときの動作であるカード処理部の返却動作について説明するための図である。
【図６】図６（ａ）ないし（ｃ）は、実施形態に係る、出入口からカードを取り込んで収納部に収納するときの動作であるカード処理部の受付動作について説明するための図である。
【図７】図７は、実施形態に係る、カード返却処理の制御動作を示すフローチャートである。
【図８】図８（ａ）ないし（ｃ）は、それぞれ、実施形態に係る、操作表示部に表示される抜取報知画面、返却確認画面および玉払出画面の一例を示す図である。
【図９】図９は、実施形態に係る、カード回収処理の制御動作を示すフローチャートである。
【図１０】図１０は、実施形態に係る、操作表示部に表示されるカード回収画面の一例を示す図である。
【図１１】図１１は、実施形態に係る、紙幣受付処理の制御動作を示すフローチャートである。
【図１２】図１２は、実施形態に係る、操作表示部に表示される抜取催促画面の一例を示す図である。
【図１３】図１３（ａ）は、実施形態に係る、計数処理の制御動作を示すフローチャートであり、図１３（ｂ）は、実施形態に係る、払出処理の制御動作を示すフローチャートである。
【図１４】図１４は、変更例１に係る、カード返却処理の制御動作を示すフローチャートである。
【図１５】図１５は、変更例２に係る、カード処理部の内部構造を模式的に示す平面図である。
【図１６】図１６は、変更例２に係る、取出阻止装置の駆動制御を示すフローチャートである。
【図１７】図１７（ａ）は、変更例２に係る、取出阻止装置がオンした状態のカード処理部を示す図であり、図１７（ｂ）は、変更例２に係る、取出阻止装置がオンした状態で出入機構が動作したときカード処理部を示す図である。
【発明を実施するための形態】
【００２２】
以下、本発明の実施形態について、図面を参照して説明する。
【００２３】
以下の実施形態において、パチンコ台４が、特許請求の範囲に記載の「遊技台」に対応する。また、台間カード処理機５が、特許請求の範囲に記載の「各台装置」に対応する。さらに、出入口２２ａが、特許請求の範囲に記載の「排出口」に対応する。さらに、制御部２９が、特許請求の範囲に記載の「動作制限部」に対応する。さらに、収納室１０８が、特許請求の範囲に記載の「収納部」に対応する。さらに、リーダライタ部１１１が、特許請求の範囲に記載の「情報処理部」に対応する。さらに、出入検知センサ１２１が、特許請求の範囲に記載の「検知部」に対応する。さらに、取出阻止装置１２２が、特許請求の範囲に記載の「阻止部」および「動作制限部」に対応する。さらに、移送機構Ｔが、特許請求の範囲に記載の「移送部」に対応する。さらに、カードＣが、特許請求の範囲に記載の「記憶媒体」に対応する。
【００２４】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００２５】
図１は、本実施形態に係る、遊技システム１の構成を示すブロック図である。遊技システム１は、遊技施設、たとえば、パチンコ店の店舗内に構成され、管理装置２と、複数の島コントローラ３と、複数のパチンコ台４と、複数の台間カード処理機５とを備える。店舗内には、複数組のパチンコ台４および台間カード処理機５からなる複数の遊技島が設けられる。そして、遊技島ごとに島コントローラ３が配置される。管理装置２と、島コントローラ３と、台間カード処理機５とは、店舗内ＬＡＮなどのネットワーク回線６を介して通信可能に接続される。また、パチンコ台４と台間カード処理機５とは、無線回線または有線回線を介して通信可能に接続される。
【００２６】
管理装置２には、各台間カード処理機５から、台間カード処理機５にて受け付けたカードあるいは台間カード処理機５内のカードに関連付けられるプリペイド価値、持玉数などの有価価値が、カードの識別情報であるＩＤとともに通知される。管理装置２は、その内部のデータベース（図示せず）に、通知された有価価値をカードのＩＤに対応付けて記憶することで、各台間カード処理機５が受け付けた有価価値を一元的に管理する。また、管理装置２には、カードが後述する会員カードである場合には、遊技客が店に預け入れた遊技媒体数である貯玉数も記憶されている。
【００２７】
島コントローラ３は、管理装置２と台間カード処理機５との間で通信データの中継を行う。また、島コントローラ３は、通信データの内容を所定期間分保持することで、有価価値のデータを一部バックアップする機能も備えている。パチンコ台４は、遊技客がパチンコの遊技を行うための遊技台である。
【００２８】
台間カード処理機５は、パチンコ台４ごとに１対１に対応して設置される。台間カード処理機５は、現金またはカードに関連付けられたプリペイド価値に基づいて、パチンコ台４を利用する遊技客に遊技媒体（パチンコ玉）を提供する貸出処理機能を有する。台間カード処理機５は、遊技客がパチンコ台４において獲得したパチンコ玉の数を計数する計数機能を有していてもよい。
【００２９】
図２は、本実施形態に係る、パチンコ台４および台間カード処理機５の構成を示す図である。図３は、本実施形態に係る、台間カード処理機５の構成を示すブロック図である。
【００３０】
パチンコ台４には、その前面に遊技盤１１が設けられる。遊技盤１１には多数の障害釘が植設されており、遊技客によって段発されたパチンコ玉は遊技盤１１の盤面上部から障害釘の間を流下していく。また、遊技盤１１には、パチンコ玉が通過可能な所定領域が複数設けられている。この所定領域には、ゲートと称される領域と、入賞口と称される領域があり、ゲートと称される領域には盤面上の当該領域へのパチンコ玉の通過を検知するセンサが設けられており、ゲートへのパチンコ玉の通過が検知されると乱数が取得され、普通図柄乱数の抽選が行われる。入賞口と称される領域には、盤面上から盤面外へパチンコ玉を導く開口が設けられており、内部にパチンコ玉の通過を検知するセンサが設けられている。入賞口へパチンコ玉が入ったことがセンサにて検知されると、賞として所定数の玉数が遊技客に付与される。さらに、入賞口のうちでも、始動入賞口と呼ばれる入賞口にパチンコ玉が入ったことがセンサにて検知されると、賞としての玉数の付与以外に乱数の取得も行われ、特別図柄乱数の抽選が行われる。始動入賞口の付近の盤面には、始動入賞口へパチンコ玉が入るのを容易にする動作が可能な役物装置（例えば電動チューリップと呼ばれる装置）が付設されており、普通図柄乱数の抽選が当りになると、この役物装置が動作するようになっている。さらに、特別図柄乱数の抽選が当りになると、通常の状態では閉状態にある大入賞口と呼ばれる入賞口が開く等してパチンコ玉が入ることが可能な状態となり、賞としての玉数が多数獲得可能になる所謂「大当り遊技」が行われる。遊技盤１１の中央付近には、大型の液晶表示装置などで構成される演出図柄表示装置が付設されており、特別図柄乱数の抽選が大当りとなると、この表示装置に「７、７、７」などの三つ揃いの数字を表示して大当りを報知する。また、入賞口にパチンコ玉が入ることで、賞としての玉数が遊技客に付与されると、所定の玉数（例えば１０玉）ごとに賞として付与された玉数を示すセーフパルスを出力する。また、遊技盤１１の下部にはアウト口１２が設けられ、遊技客が段発した玉のうち入賞口へ入賞しなかった玉はアウト口１２から盤面外へ排出され、さらに排出口からパチンコ台４の外の島内に排出される。排出口の外の島内にはアウトボックスと呼ばれる外部装置が付設されており、排出口から排出された玉（入賞口、アウト口から盤面外へ排出された玉）を内部のアウト玉検出センサにてカウントする。アウトボックスは、アウト玉検出センサにて検出したパチンコ玉を示すアウトパルスを、所定の玉数（例えば１０玉）ごとに出力する。
【００３１】
さらに、パチンコ台４の前面には、遊技盤１１の下方に、上皿１３と下皿１４とが設けられる。上皿１３には、入賞（入賞口へのパチンコ玉の入球）の際に、パチンコ台４の内部に設けられた払出機構１５から払出口１６を通じてパチンコ玉が払い出される。上皿１３には、パチンコ玉が一時的に貯留され、上皿１３にパチンコ玉が一杯になると、下皿１４にパチンコ玉が貯留される。
【００３２】
上皿１３の前面には、貸出ボタン１７と、返却ボタン１８と、表示部１９とが設けられる。貸出ボタン１７は、パチンコ玉を貸し出すための貸出操作に用いられる。返却ボタン１８は、遊技の終了に伴って有価価値が関連付けられたカードを返却するための返却操作に用いられる。表示部１９は、カードの残度数を表示する。なお、貸出ボタン１７、返却ボタン１８、表示部１９は、パチンコ台４に付設されているものの、共通のインターフェイス基板上に設けられており、当該インターフェイス基板は台間カード処理機５の制御部２９に接続されており、入出力および制御が台間カード処理機５の制御部２９との間で行われるようになっている。
【００３３】
台間カード処理機５は、パチンコ台４の左側に併設され、上下に細長いボックス形状を有する。台間カード処理機５では、現金（紙幣）の他、記憶媒体であるカードＣが取り扱われる。カードＣは、たとえば、ＩＣカードである。カードＣには、そのカードＣのＩＤが記憶される。また、カードＣには、有価価値が関連付けられる。カードＣの種類として、会員登録を行った遊技客が所持する会員カードと、会員カードを所持しない遊技客に発行される一般カードとがある。一般カードに関連付けられる有価価値には、プリペイド価値、持玉数が含まれる。会員カードに関連付けられる有価価値には、プリペイド価値、持玉数の他、貯玉数が含まれる。また、会員カードには、パスワード（暗証番号）が付与される。
【００３４】
遊技客が当日の遊技で獲得したパチンコ玉は、台間カード処理機５が計数部２３を有する場合には、計数部２３によってパチンコ玉数を計数することによって、玉数を特定可能なデータに変換し、持玉として、その個数である持玉数をカードＣに関連付けることができる。持玉は、当日のうちであれば、台間カード処理機５にカードＣを受け付けさせて再度遊技に用いるために払い出す処理（以後、「再プレイ」と称することもある）を行ったり、図示しない賞品管理装置にカードＣを受け付けさせて賞品と交換する賞品交換処理を行ったりすることができる。一般カードに関連付けられた持玉は、その日の営業が終了して管理装置２において閉店処理が行われると、無効化される。会員カードに関連付けられた持玉は、翌日以降に利用する場合、賞品管理装置等で預け入れ操作を行うことで、貯玉として、店舗に預けることができる。また、会員カードに持玉が関連付けられた状態で、その日の営業が終了して管理装置２において閉店処理が行われると、持玉が自動的に貯玉に移行される。この場合、会員カードに貯玉数が関連付けられ、貯玉数に基づくパチンコ玉の貸し出しや景品交換が可能となる。
【００３５】
本実施形態では、カードＣ自身に有価価値を特定可能な情報が記憶されることにより、カードＣに有価価値が関連付けられる。さらには、管理装置２のデータベースに、カードＣのＩＤに対応付けて有価価値を特定可能な情報が記憶されることによっても、カードＣに有価価値が関連付けられる。このように、有価価値がカードＣと管理装置２の双方に記憶されることで、どちらかでの有価価値の記憶が失われても、有価価値の消失を防止できるようになっているが、本発明はこれに限らず、カードＣ自身にはＩＤのみを記憶し、管理装置２のデータベースにＩＤに対応付けて有価価値を特定可能な情報が記憶される構成であってもよく、また、直接的に現在の有価価値を記憶せず、ＩＤに対応付けて加算された有価価値と使用された有価価値を示す情報を累積的に記憶することで、現在保持されている有価価値を特定可能な構成であってもよい。
【００３６】
台間カード処理機５は、紙幣処理部２１と、カード処理部２２と、計数部２３と、操作表示部２４と、再プレイボタン２５と、状態表示ランプ２６と、リモコン受光部２７と、通信部２８と、制御部２９と、記憶部３０とを備える。
【００３７】
図２に示すように、台間カード処理機５の前面に、上から順に、状態表示ランプ２６、リモコン受光部２７、紙幣処理部２１の紙幣の挿入口２１ａ、操作表示部２４、再プレイボタン２５、カード処理部２２のカードＣの出入口２２ａが設けられる。計数部２３は、台間カード処理機５の最下部に設けられ、その前面に玉受皿部３１が接続される。なお、本実施形態では、貸出ボタン１７と、返却ボタン１８とが、遊技台４に付設されているが、本発明はこれに限定されず、貸出ボタン１７と返却ボタン１８とが台間カード処理機５側にも設けられてもよいし、台間カード処理機５側のみに設けられていてもよい。
【００３８】
紙幣処理部２１は、挿入口２１ａに紙幣が投入されたことが検知されると、その紙幣を取り込んで紙幣の金種が千円、二千円、五千円、一万円の何れであるかを識別し、識別された金種を制御部２９に通知する。紙幣処理部２１は、投入された紙幣が上記の何れの金種の紙幣としても真正なものでない場合、挿入口２１ａに返却する。真正な紙幣として識別された識別後の紙幣は、台間カード処理機５に接続された島内の搬送機構部（図示せず）に受け渡され、搬送機構部を通じて店舗内に設けられた紙幣回収部（図示せず）に回収される。なお、挿入口２１ａには、紙幣の投入を検知するための投入検知センサ２１ｂが設けられる。投入検知センサ２１ｂは、たとえば、フォトインタラプタからなる。
【００３９】
カード処理部２２は、出入口２２ａにカードＣが投入されたことを検知すると、そのカードＣを取り込んでカードＣに記憶されたＩＤ、有価価値（プリペイド価値、持玉数、貯玉数）などの情報を読み取り、読み取った情報を制御部２９に通知する。制御部２９は、カードＣから読み取られたＩＤを示す情報を管理装置２に送信して、カードＣのＩＤに対応付けられて管理装置２において管理されている有価価値を示す情報を要求する。そして、管理装置２からカードＣのＩＤに対応する有価価値を示す情報が送信されてきた場合に、記憶部３０に記憶する。また、カードＣの返却操作が行われた場合、カード処理部２２は、記憶部３０に記憶された有価価値の残高（残有価価値）などの情報をカードＣに書き込み（記憶させ）、管理装置２にカードＣのＩＤを示す情報と、記憶部３０に記憶された有価価値の残高を通知した上で、記憶部３０に記憶された有価価値の情報を無効化（クリア）しそのカードＣを出入口２２ａに返却する。カード処理部２２には、一般カードとなるカードＣが予め複数枚積層収納される。台間カード処理機５が外部からカードＣを受け付けることなく現金（紙幣）を受け付けた場合であって、カードＣを返却する操作が行われた場合、カード処理部２２は、予め収納されたカードＣに残金に相当するプリペイド価値を記憶させ、そのカードＣを一般カードとして出入口２２ａに返却する発行処理を行う。カード処理部２２の詳細な構成については、追って説明する。
【００４０】
計数部２３には、パチンコ台４の下皿１４から落下したパチンコ玉が、玉受皿部３１を通じて整列されて導入される。計数部２３は、導入されたパチンコ玉を内部の計数センサにより検知して計数して記憶するとともに、持玉数として制御部２９に通知する。制御部２９では、計数部２３から通知された持玉数に基づいて、記憶部３０に記憶した持玉数を加算更新する。また、図示していないが、計数部２３は、台間カード処理機５から取り外し可能なユニット構造になっており、パチンコ台４の台ごとでの計数運用（各台計数運用）を行わない場合には、台間カード処理機５から玉受皿部３１と計数部２３を取り外すことで計数機能の無い運用が可能である。計数機能の無い運用を行う場合には、遊技者は獲得した玉数を島端等に設けられた計数機にて計数し、カードＣあるいはレシートに関連付けることとなる。カードＣに計数機で計数した玉数が関連付けられている場合には、台間カード処理機５での再プレイが可能である。
【００４１】
操作表示部２４は、たとえば、多色表示が可能なタッチパネルで構成され、台間カード処理機５への各種の入力操作を受け付けるとともに、受け付けたカードＣに基づいて特定され、記憶部３０に記憶されているプリペイド価値や持玉数、貯玉数など、各種の情報を表示する。図示されていないが、操作表示部２４の表示面は、対応するパチンコ台４側に所定角度傾斜した方向に向くよう設置されている。再プレイボタン２５は、再プレイを行うために操作されるボタンであり、貯玉を再プレイするとき及び持玉を再プレイするときに共通的に操作される。なお、本実施形態では、物理的な再プレイボタン２５を付設しているが、本発明はこれに限らず、操作表示部２４に再プレイボタンを表示し、表示された再プレイボタンの領域が操作された場合に再プレイを行うようにしてもよい。なお、この場合、再プレイボタンの態様によって貯玉の再プレイを受け付ける場合の再プレイボタンの表示と持玉の再プレイを受け付ける場合の再プレイボタンの表示を異なるようにすれば、遊技客がどちらの再プレイを行い得るのかを明確に認識することが可能となる。
【００４２】
状態表示ランプ２６は、色と点灯状態によって台間カード処理機５の状態、たとえば、異常の有無などを知らせる。リモコン受光部２７は、遊技施設の係員が携帯するリモコン（従業員端末）からの赤外線による操作信号を受信する。リモコン受光部２７においてリモコンからの操作信号を受信した場合、赤外線通信で受信した信号内に含まれているスクランブルされたコードによって送信元のリモコンＩＤ等から操作権限等を判断し、操作権限がある場合のみ操作信号に応答した動作を行うこととなる。リモコンからの操作信号によって行われる動作としては、計数部２３の取外し、台間カード処理機５の本体の取付枠からの取外し、カードＣの回収・補充、記憶部３０に記憶された持玉数のクリア、受け付けた紙幣をスタックする紙幣スタック部を有する場合の紙幣スタック部の開錠などがある。
【００４３】
通信部２８は、ＬＡＮボードなどの通信デバイスを含み、管理装置２やパチンコ台４との間でデータ通信を行う。
【００４４】
記憶部３０は、ＲＯＭ（Read Only Memory）、ＲＡＭ（Random Access Memory）などを備え、制御部２９の動作プログラムを記憶し、また、制御部２９の制御処理の際にワーク領域として利用される。
【００４５】
制御部２９は、ＣＰＵ（Central Processing Unit）等の演算回路を備え、記憶部３０に記憶された動作プログラムに従って、台間カード処理機５の各構成部（紙幣処理部２１、カード処理部２２、計数部２３、操作表示部２４、再プレイボタン２５、状態表示ランプ２６、リモコン受光部２７、通信部２８等）を制御する。
【００４６】
図４は、本実施形態に係る、カード処理部２２の内部構造を模式的に示す平面図である。
【００４７】
カード処理部２２は、前側に、出入口２２ａから後方に延びる搬送路１０１を備える。カードＣは、搬送路１０１内を、その長手方向が前後方向となるように立てられた状態で搬送される。搬送路１０１に関連し、カードＣを搬送するための搬送機構１０２が設けられる。搬送機構１０２は、搬送路１０１より左側において前後に並ぶ、垂直軸まわりに回転可能な２つの第１ローラ１０３と、２つの第１ローラ１０３の間に掛け渡された第１エンドレスベルト１０４と、搬送路１０１より右側において前後に並ぶ、垂直軸まわりに回転可能な２つの第２ローラ１０５と、２つの第２ローラ１０５の間に掛け渡された第２エンドレスベルト１０６と、搬送路１０１より右側に配置され、第１ローラ１０３を回転駆動する搬送モータ１０７とを含む。第１ローラ１０３および第１エンドレスベルト１０４の一部が、左側から搬送路１０１内に露出し、第２ローラ１０５および第２エンドレスベルト１０６の一部が、右側から搬送路１０１内に露出する。第１エンドレスベルト１０４と第２エンドレスベルト１０６との間には、カードＣを挟み込めるだけの隙間が設けられる。搬送モータ１０７により、第１ローラ１０３が回転駆動されると、第１エンドレスベルト１０４が周回移動する。
【００４８】
搬送路１０１の後方には、カードＣが収納される収納室１０８が設けられる。収納室１０８の右側面の後側は、後右斜めに延びる傾斜面１０８ａに形成される。収納室１０８内には、カードＣとほぼ同じ形状を有する支持板１０９が配置される。支持板１０９は、支持板１０９の後部と収納室１０８の左側面との間に配置された２つのバネ１１０によって傾斜面１０８ａ側に押圧される。収納室１０８内には、複数枚のカードＣが、支持板１０９と傾斜面１０８ａとの間に挟まれることにより、わずかに傾いて積層された状態で収納される。
【００４９】
搬送路１０１の左側には、搬送機構１０２より後方にリーダライタ部１１１が配置される。リーダライタ部１１１は、カードＣに対して有価価値などの情報を読み出したり書き込んだりする情報処理を行う。搬送機構１０２は、出入口２２ａに投入されたカードＣをリーダライタ部１１１により情報処理が可能となる位置（以下、処理位置という）まで移動させるとともに、処理位置のカードＣを出入口２２ａまで移動させる。なお、リーダライタ部１１１は、投入されたカードＣが、会員カードであるか一般カードであるかの識別や正規のカード（使用可能なカード）であるか否かの識別も行う。また、カードＣは、処理位置で一時的に保留されるため、処理位置は、一時保留位置でもある。
【００５０】
搬送路１０１の右側には、シャッターレバー１１２が配置される。シャッターレバー１１２は、前後方向に延び、その後端部に左側に張り出す検知部１１２ａを有する。シャッターレバー１１２は、上下方向に延びる揺動軸１１３によって支持される。シャッターレバー１１２の前端部には、小片状のシャッター１１４が取り付けられる。シャッターレバー１１２は、図４に示すような前後方向に対し後端部が左側に傾いた傾斜位置から前後方向にほぼ平行な平行位置まで、揺動軸１１３まわりに揺動できる。シャッターレバー１１２が傾斜位置にあるとき、検知部１１２ａが収納室１０８内に進出した状態にあり、シャッター１１４が搬送路１０１から退避した状態にある。シャッターレバー１１２が平行位置まで揺動すると、シャッター１１４が搬送路１０１内に進出し、検知部１１２ａが収納室１０８から退避する。
【００５１】
収納室１０８に関連し、搬送路１０１内の処理位置にあるカードＣを収納室１０８内に出し入れするための出入機構１１５が設けられる。出入機構１１５は、取込部１１６と、繰出部１１７と、リフト部１１８と、駆動モータ１１９とを含む。
【００５２】
取込部１１６および繰出部１１７は、搬送路１０１の右側であって、シャッターレバー１１２より下方に配置される。取込部１１６は、前後方向に延びるアーム状を有する。取込部１１６には、その途中部分が右側に折り曲げられた後に後側に折り曲げられ、その後端部が左側に折り曲げられることにより、その後部側に右側に窪む窪み１１６ａが形成される。また、取込部１１６の前端部には、取込爪１２０が、上下に延びる回動軸１１６ｂまわりに回動可能に取り付けられる。図４に示すように、取込爪１２０は、前後方向に沿うように傾倒する傾倒形態（図の実線）と、左右方向に沿うように起立する起立形態（図の破線）とをとる。
【００５３】
繰出部１１７は、前後方向に延びるアーム状を有し、取込部１１６の後方において取込部１１６に連結される。繰出部１１７の前端部１１７ａは、右側に折り曲げられて取込部１１６の窪み１１６ａに左側から嵌め込まれる。前端部１１７ａは、窪み１１６ａ内で前後方向に移動することができ、繰出部１１７は、この前端部１１７ａの移動範囲内において、取込部１１６に対して前後方向に移動可能となる。また、繰出部１１７の後端部には、平坦面１１７ｂが形成され、さらに平坦面１１７ｂの後方に繰出爪１１７ｃが形成される。
【００５４】
取込部１１６と繰出部１１７は、前後方向に移動できる。取込部１１６が図４に示す位置から後方に移動する際、取込部１１６が所定の起立位置（処理位置にあるカードＣよりも前方の位置）に到達すると、取込爪１２０が傾倒形態から起立形態に切り替わる。
【００５５】
リフト部１１８は、収納室１０８の傾斜面１０８ａの後方に配置され、図４に示すような収納室１０８内から退避した退避位置と、収納室１０８内に進出する進出位置との間で左右方向に移動可能である。
【００５６】
駆動モータ１１９は、ギアやカムなどからなる伝達機構（図示せず）を介して取込部１１６、繰出部１１７およびリフト部１１８に連結され、取込部１１６および繰出部１１７を前後方向に移動させるとともに、リフト部１１８を左右方向に移動させる。
【００５７】
出入口２２ａの近傍には、カードＣが出入口２２ａに存在することを検知する、即ち、カードＣが出入口２２ａから抜き取られたか否か検知するための出入検知センサ１２１が配置される。出入検知センサ１２１は、たとえば、フォトインタラプタで構成される。
【００５８】
なお、搬送機構１０２および出入機構１１５は、収納室１０８内からカードＣを取り出して出入口２２ａへ移動させるとともに、出入口２２ａのカードＣを収納室１０８へ移動させて収納室１０８内に取り込む移送機構Ｔを構成する。移送機構Ｔ（搬送機構１０２、出入機構１１５）およびリーダライタ部１１１の動作の制御は、制御部２９により行われる。
【００５９】
図５（ａ）ないし（ｃ）は、本実施形態に係る、収納室１０８からカードＣを繰り出して出入口２２ａに排出するときの動作であるカード処理部２２の返却動作について説明するための図である。以下、カード処理部２２の返却動作について説明する。
【００６０】
図４に示す状態から、まず、出入機構１１５によって収納室１０８内のカードＣが搬送路１０１の処理位置まで取り出される。即ち、図５（ａ）に示すように、繰出部１１７の繰出爪１１７ｃが収納室１０８内の複数のカードＣよりも後方となる位置まで、取込部１１６と繰出部１１７とが後方に移動する。このとき、最も左側のカードＣの後部が繰出部１１７の平坦面１１７ｂに支えられ、複数のカードＣは、前後方向に沿う状態となる。
【００６１】
次に、図５（ｂ）に示すように、取込部１１６と繰出部１１７とが前方に移動すると、最も左側のカードＣの後端が繰出爪１１７ｃによって前方へ押され、そのカードＣが前方に移動する。これにより、１枚のカードＣが収納室１０８から搬送路１０１の処理位置へと取り出される。本実施形態では、カード処理部２２の前後方向の寸法が小さいため、カードＣが収納室１０８から取り出され処理位置にあるときにもカードＣの後部が収納室１０８内に入り込んだ状態となる。
【００６２】
カードＣが処理位置にあるとき、カードＣに検知部１１２ａが押されることによりシャッターレバー１１２が平行位置に揺動し、シャッター１１４が搬送路１０１内に移動して搬送路１０１を閉じる。これにより、出入口２２ａに別のカードＣが挿入できなくなる。
【００６３】
リーダライタ部１１１により、カードＣに有価価値などの情報が書き込まれると、搬送機構１０２が動作し、カードＣが搬送機構１０２によって出入口２２ａまで搬送される。即ち、第１エンドレスベルト１０４が、カードＣを前方へ移動させる方向に周回移動し、第１エンドレスベルト１０４と第２エンドレスベルト１０６との隙間をカードＣが出入口２２ａへ向けて移動する。カードＣの移動により検知部１１２ａが押されなくなった状態で、シャッター１１４がカードＣの前端で押されると、シャッター１１４が退避して搬送路１０１が開く。図５（ｃ）に示すように、カードＣが出入口２２ａに到達し、カードＣの前部が外部に露出すると、搬送機構１０２が停止する。なお、このとき、カードＣの後端部は、第１エンドレスベルト１０４と第２エンドレスベルト１０６の間に掛かった状態となる。この状態が、出入口２２ａからカードＣが抜き取られるのを待つ抜取待ち状態となる。
【００６４】
なお、前後方向の寸法が長くとられるなど、カード処理部２２の構造によっては、カードＣが搬送路１０１の処理位置に取り出されたとき、カードＣ全体が収納室１０８から出た状態となり得る。
【００６５】
図６（ａ）ないし（ｃ）は、本実施形態に係る、出入口２２ａからカードＣを取り込んで収納室１０８に収納するときの動作であるカード処理部２２の受付動作について説明するための図である。以下、カード処理部２２の受付動作について説明する。
【００６６】
カードＣが出入口２２ａに投入された状態は、図５（ｃ）に示される状態と同じような状態である。カードＣが出入口２２ａに投入されると、搬送機構１０２が動作し、カードＣが搬送機構１０２によって搬送路１０１の処理位置まで搬送される。即ち、第１エンドレスベルト１０４が、カードＣを後方へ移動させる方向に周回移動し、第１エンドレスベルト１０４と第２エンドレスベルト１０６との隙間をカードＣが処理位置へ向けて移動する。カードＣが処理位置に到達すると、搬送機構１０２が停止する。
【００６７】
リーダライタ部１１１により、カードＣから有価価値などの情報が読み出されると、出入機構１１５によってカードＣが収納室１０８内に収納される。即ち、図６（ａ）に示すように、繰出部１１７が停止した状態で取込部１１６が後方に移動し、起立形態となった取込爪１２０がカードＣの前端に当てられる。次に、図６（ｂ）に示すように、取込部１１６と繰出部１１７とが後方に移動すると、カードＣの前端が取込爪１２０によって後方へ押され、そのカードＣが後方に移動する。これにより、カードＣが収納室１０８に収納される。その後、図６（ｃ）に示すように、リフト部１１８が進出位置に移動し、収納室１０８内の複数のカードＣの後部が、リフト部１１８によって、繰出部１１７の平坦面１１７ｂから離れるように左側へ押される。この状態で取込部１１６と繰出部１１７とが前方に移動することで、繰出爪１１７ｃがカードＣに当たることなく、取込部１１６と繰出部１１７とが前方の位置に戻る（図４参照）。
【００６８】
なお、収納室１０８内に予め収納されるカードＣは、一般カードである。カードＣが、会員カードである場合、カード処理部２２の受付動作によって、出入口２２ａに投入されたカードＣは、搬送路１０１内の処理位置まで搬送され、リーダライタ部１１１で有価価値等の情報が読み取られた後、処理位置に留まる。そして、返却時には、カード処理部２２の返却動作によって、有価価値等の情報が書き込まれたカードＣが処理位置から出入口２２ａに搬送される。
【００６９】
また、上記の例では、出入口２２ａに投入されたカードＣが一般カードである場合、搬送路１０１内の処理位置でカードＣから有価価値等の情報が読み取られた後、そのカードＣが収納室１０８内に収納される。しかしながら、カード処理部２２は、一旦、カードＣを処理位置に留めるようにし、カードＣに関連付けられていた有価価値が全てなくなるなど、カードＣを返却する必要がなくなった場合にのみ、そのカードＣが収納室１０８内に収納されるような構成とされてもよい。
【００７０】
次に、台間カード処理機５の動作について説明する。
【００７１】
遊技客は、パチンコ台４での遊技を開始する際、カードＣを所持していなければ、紙幣処理部２１の挿入口２１ａに現金（紙幣）を投入する。カード処理部２２は、収納室１０８内に収納された複数のカードＣのうち、次に発行され得るカードＣを一定時間間隔ごとに収納室１０８に対して出し入れし、カードＣのＩＤをリーダライタ部１１１にて読み取って記憶部３０に記憶している（以後、この処理を「準備リード」と称することもある）。制御部２９は、投入された現金の金額を、準備リードによって次に発行され得るカードＣのＩＤとして記憶部３０に記憶しているＩＤに対応付けて記憶部３０に記憶させるとともに、管理装置２に管理させるため、記憶部３０に記憶しているＩＤと金額の情報を、ネットワーク回線６を介して管理装置２に送る。
【００７２】
一方、遊技客は、プリペイド価値や持玉数など有価価値が関連付けられたカードＣ（会員カード、一般カード）を所持している場合、カード処理部２２の出入口２２ａにカードＣを投入する。制御部２９は、カード処理部２２に、上述した受付動作を行わせ（図６（ａ）ないし（ｃ）参照）、カードＣから読み出された有価価値を、そのカードＣのＩＤに対応付けて記憶部３０に記憶させるとともに、ＩＤと有価価値の情報を、ネットワーク回線６を介して管理装置２に送る。
【００７３】
次に、遊技客は、パチンコ玉を貸し出してもらうため、パチンコ台４の貸出ボタン１７による貸出操作を行う。貸出ボタン１７にて貸出操作が行われると、その操作信号が台間カード処理機５の制御部２９に入力され、これを受けて台間カード処理機５はパチンコ台４に向けて貸出要求信号を送信する。この貸出要求信号は、所定数（例えば２５玉）ごとに１回送信され、パチンコ台４は貸出要求信号を受信すると、貸出了解信号を台間カード処理機５に返信する。この送受信が貸出処理されるパチンコ玉数分（例えば１２５玉貸し出す場合、５回）行われたあと、パチンコ台４では払出機構１５が駆動して対応する玉数のパチンコ玉の貸し出しが行われる。
【００７４】
台間カード処理機５では、貸出要求信号に対する貸出了解信号を受信すると、記憶部３０に記憶された有価価値（ここでは、現金の金額またはプリペイド価値）から、貸し出したパチンコ玉の数量に相当する有価価値を減算し、減算後の有価価値を記憶部３０に記憶させるとともに管理装置２に送る。
【００７５】
遊技客は、投入したカードＣに、貯玉数（会員カードに限られる）や持玉数が関連付けられている場合、貯玉あるいは持玉であるパチンコ玉を払い出してもらうため、台間カード処理機５の再プレイボタン２５による払出操作を行う場合もある。まず、カードＣに持玉数が関連付けられている場合には、台間カード処理機５がカードＣを受け付けると管理装置２にカードＩＤを送信して持玉数の要求を行う。そして、管理装置２は、カードＩＤに対応付けられた持玉数を台間カード処理機５に送信するとともに、自装置がカードＩＤに対応付けて管理している持玉数を０にクリアする。そして、台間カード処理機５は、送信されてきた持玉数を記憶部３０に記憶する。そして、再プレイボタン２５の操作により持玉を払い出す場合には、再プレイボタン２５が１回操作されるごとに、所定数（例えば１２５玉）の払出処理が行われるが、持玉の残高が所定数に満たない場合には、全ての持玉数の払出処理が行われる。持玉の払出処理を行う場合、パチンコ台４から払出可能な一定数（２５玉）の倍数に関しては、パチンコ台４に払出指示を行うことによって払出処理を行い、一定数に満たない玉数に関しては台間カード処理機５の払出機構によって払出処理を行う。そして、払出処理に応じて記憶部３０に記憶した持玉数を減算する。台間カード処理機５からカードＣが排出されると、記憶部３０に残った持球数が管理装置２に送信され、その持玉球が再度、管理装置２で管理される。
【００７６】
カードＣが会員カードであり、カードＣに貯玉数が関連付けられている場合には、台間カード処理機５がカードＣを受け付けると管理装置２にカードＩＤを送信して貯玉数の要求を行う。そして、管理装置２は、カードＩＤに対応付けられた貯玉数を台間カード処理機５に送信する。そして、台間カード処理機５は、送信されてきた貯玉数を参考値として記憶部３０に記憶する。そして、再プレイボタン２５の操作により貯玉を払い出す場合には、再プレイボタン２５が１回操作されるごとに、管理装置２に所定数（例えば１２５玉）の貯玉の引き落とし要求を行う。管理装置２が管理している残高が所定数を上回っている場合には、管理装置２は残高から所定数を減算して引き落とし完了を応答する。管理装置２から引き落とし完了の応答があった場合には、台間カード処理機５はパチンコ台４に払出指示を行うことによって所定数のパチンコ玉の払出処理を行い、記憶部３０に記憶した貯玉数から所定数を減算する。持玉・貯玉の払出処理を行う際に払出指示を受けたパチンコ台４からは、払出指示に基づく数量のパチンコ玉が払い出される。
【００７７】
なお、本実施形態では、持玉・貯玉の払出処理においてパチンコ台４から払出可能な一定数（２５玉）の倍数に関しては、パチンコ台４に払出指示を行うことによって払出処理を行い、一定数に満たない玉数に関しては台間カード処理機５の払出機構によって払出処理を行う形態を例として示しているが、本発明はこれに限らず、全ての玉数を台間カード処理機５の払出機構により払出処理を行ってもよい。また、カードＣが会員カードである場合に、会員登録時に予め登録した暗証番号（例えば会員が任意に定めた４桁の数字）による認証を条件に再プレイを可能にするが、この暗証番号による認証について、会員カードであるカードＣを受け付けたときに管理装置２で予めＩＤと対応付けて記憶されている暗証番号と同一の暗証番号の入力を促す表示を行い、操作表示部２４を介して入力を受け付けて認証が正常に行われた場合に再プレイを行ってもよいし、会員カードであるカードＣを受け付けたときには認証を行わず、再プレイボタン２５が操作された場合に認証を行うようにしてもよい。再プレイボタン２５が操作された場合に認証を行う場合には、１回目の再プレイ操作で認証が正常に行われた場合には、同一のカードＣを受け付けている間は認証が行われた認証済状態を記憶しておき、次回の再プレイ操作については認証処理を行わずに再プレイできるようにしてもよい。また、認証済状態を所定時間経過で解除するようにしてもよい。
【００７８】
さらに、本実施形態では、カードＣに持玉数が関連付けられている場合に、管理装置２は、カードＩＤに対応付けられた持玉数を台間カード処理機５に送信するとともに、自装置がカードＩＤに対応付けて管理している持玉数を０にクリアし、台間カード処理機５からカードＣが排出された後、台間カード処理機５から持球数が管理装置２に送信されると、その持玉球を、再度管理する。しかしながら、本発明はこれに限定されず、カードＣに持玉数が関連付けられている場合も、上記の方式ではなく、カードＣに貯玉数が関連付けられている場合と同様の方式、即ち、台間カード処理機５から管理装置２に所定数の持玉の引き落とし要求が行われる度に、管理装置２が残高から所定数を減算して引き落とし完了を応答する方式が用いられてよい。
【００７９】
台間カード処理機５は、会員である遊技客の携帯電話機を利用した再プレイの操作、即ち、貯玉の払出操作を受け付けることができる。即ち、台間カード処理機５では、操作表示部２４に表示されたケータイ再プレイボタンが押された後に会員登録時に設定した暗証番号が入力され、台間カード処理機５の正面の再プレイボタン２５の下部に設けられた携帯読取部（図示せず）により携帯電話機に内蔵されたＩＣチップから携帯電話機を識別する端末識別情報としてＩＣチップの固有識別情報（ＩＤｍ）を読み取って記憶し、読み取ったＩＤｍを管理装置２に送信して、当該ＩＤｍに対応付けて管理されている会員情報を要求する。そして、会員情報に含まれる暗証番号と、入力された暗証番号が一致すると、制御部２９が払出指示をパチンコ台４に送ることで会員カードを用いた貯玉の再プレイと同様の払出処理が行われる。この再プレイ処理は、携帯読取部によるＩＤｍの読み取りを先に行い、暗証番号をその後に入力する方法でも行うことができる。パチンコ台４からはパチンコ玉が払い出され、管理装置２では、携帯電話機による再プレイの操作を行った会員の貯玉数が、払い出されたパチンコ玉の個数だけ減算される。携帯読取部により読み取られたＩＤｍは一定期間記憶したまま保持され、一定期間内に同一の携帯電話機のＩＤｍが読み取られた場合には、暗証番号の入力を行うことなく再プレイを行うことができる。
【００８０】
遊技の最中、パチンコ台４が大当りなどの多数のパチンコ玉が獲得可能な状態となり、遊技客がパチンコ台４の下皿１４から計数部２３にパチンコ玉を流した場合、制御部２９は、計数部２３で計数された持玉数を、記憶部３０に記憶された持玉数に加算する。
【００８１】
遊技客は、パチンコ台４での遊技を終えると、残有価価値（現金やプリペイド価値の残高）がある場合、あるいは持玉が存在する場合に、パチンコ台４の返却ボタン１８による返却操作を行う。
【００８２】
台間カード処理機５では、制御部２９が返却操作に基づく操作信号を受け取ると、残有価価値（残った現金、プリペイド価値、持玉など）の書き込みを行った後、カードＩＤと残有価価値の値を管理装置２に通知して、記憶部３０に記憶された残有価価値の値をクリアしてカードＣを返却する。なお、カードＣが一般カードである場合には、プリペイド価値及び持玉数がいずれも０である場合には、一般カードは台間カード処理機５に回収され、返却処理は行われない。カードＣが会員カードである場合には、残有価価値のうちの貯玉についてはカードＣへの書き込みは行わず、貯玉の残高の管理装置２への通知は行われない。このカードＣの返却には、一般カードを新規に発行することが含まれる。なお、一般カードについては、一般カードに関連付けられる持玉の値に関して、「カード返却可能数」が設定されて記憶されている。カード返却可能数は、持玉数がその数未満であればカードの返却を行わない個数として店舗運営者が設定できる値であり、所定数未満の持玉を関連付けたカードが発行されて遊技客に破棄・紛失された場合に店舗運営に支障が出ないよう、例えばカードＣ自身の価値に対応して設定することができる。また、カード返却可能数は、台間カード処理機５が払出処理を行う遊技媒体の単価（パチンコ玉１個当たりを貸し出すために消費されるプリペイド価値の値）として設定されている値（一般的に「レート」と呼ばれる）に対応して異ならせて設定することができる。台間カード処理機５では、返却操作が行われた場合に、プリペイド価値が０であり、持玉数がカード返却可能数未満である場合、カードＣの返却が行われず、代わりに、持玉数に相当する個数のパチンコ玉の払出処理が行われる。この場合、カードＣの返却が行われなければ良いため、持玉数に相当する個数のパチンコ玉を払い出すことは必須ではなく、例えば返却動作を行わずにカード返却が不能である旨を認識可能な表示を操作表示部２４に行う処理としてもよい。また、プリペイド価値が０ではなく、持玉数がカード返却可能数未満である場合も、返却操作が行われると、カードＣの返却が行われず、代わりに、持玉数に相当する個数のパチンコ玉の払出処理が行われる。この場合は、パチンコ玉の払出処理の後に、再度返却操作が行われると、プリペイド価値を関連付けたカードＣが排出される。なお、上記の処理に代えて、プリペイド価値が０でない場合は、持玉数に関係なく返却操作に応じてプリペイド価値と持玉数を関連付けたカードＣを排出する処理を行ってもよい。なお、上記の処理では、「カード返却可能数」を設定し、当該数に満たない（未満）である場合にカードＣの返却を制限する処理を例として示しているが、この基準数の設定は「カード返却不能数」として、当該数以下である場合にカードＣの返却を制限する処理としてもよく、一定の基準以下の持玉が関連付けられた一般カードの発行を抑制できれば特に限定されない。また、カードＣが会員カードの場合には、カード返却可能数の設定に関係なく、返却操作に応じてカードＣが返却される。
【００８３】
台間カード処理機５において、カード処理部２２からカードＣが排出される場合として、上記のようにカードＣが返却（新規発行を含む）される場合の他、係員が携帯するリモコンからの回収操作に基づいてカードＣが回収される場合がある。たとえば、カード処理部２２の収納室１０８に収納されるカードＣの適量枚数が遊技施設によって予め定められている。適量枚数を超えるカードＣが収納室１０８に収納されていることが判明した場合、回収操作がなされて、カード処理部２２から所定枚数のカードＣが回収される。なお、管理装置２において閉店処理が行われた場合にも、カード処理部２２からカードＣが返却される。
【００８４】
図７は、本実施形態に係る、カード返却処理の制御動作を示すフローチャートである。図８（ａ）ないし（ｃ）は、それぞれ、本実施形態に係る、操作表示部２４に表示される抜取報知画面Ｓ１、返却確認画面Ｓ２および玉払出画面Ｓ３の一例を示す図である。
【００８５】
返却操作に基づいてカード処理部２２からカードＣを返却するため、制御部２９によってカード返却処理が実行される。
【００８６】
本実施形態の台間カード処理機５では、カード処理部２２の出入口２２ａに返却されたカードＣが抜取待ちの状態にあるときは、収納室１０８内のカードＣが新たに出入口２２ａに排出されないようにすることで、抜取待ちのカードＣが新たなカードＣに押し出されて外部に落下しないようになされている。
【００８７】
図７を参照して、制御部２９は、返却操作がなされたか否かを監視する（Ｓ１０１）。返却ボタン１８による返却操作がなされると（Ｓ１０１：ＹＥＳ）、制御部２９は、記憶部３０に記憶された持玉数が０であるか否かを判定し（Ｓ１０２）、持玉数が０であれば（Ｓ１０２）、記憶部３０に記憶されたプリペイド価値が０であるか否かを判定する（Ｓ１０３）。
【００８８】
プリペイド価値が０でない場合（Ｓ１０３：ＮＯ）、制御部２９は、出入検知センサ１２１の検知結果に基づいて、台間カード処理機５が、先に出入口２２ａに排出されたカードＣの抜取待ち状態にあるか否かを判定する（Ｓ１０４）。先に排出されたカードＣが出入口２２ａに残っている場合、台間カード処理機５がカードＣの抜取待ち状態にあると判定される（Ｓ１０４：ＹＥＳ）。この場合、制御部２９は、返却ボタン１８による返却操作を無効とし、Ｓ１０１の処理に戻って、再び、返却操作を監視する。これにより、返却操作が行われたにもかかわらず、カードＣは出入口２２ａに返却されない。この場合、カードＣが返却される動作を抑制できれば特に方法は限定されず、返却操作を無効とするのではなく、返却操作を受け付けた上で、当該操作に対応する動作を行わない処理としてもよい。
【００８９】
一方、台間カード処理機５がカードＣの抜取待ち状態にない場合（Ｓ１０４：ＮＯ）、制御部２９は、返却確認モードの設定がなされているか否かを判定する（Ｓ１０５）。台間カード処理機５では、返却操作として、パチンコ台４の返却ボタン１８の操作に加えて台間カード処理機５の操作表示部２４での操作を求める返却確認モードの設定を行うことができる。
【００９０】
返却確認モードの設定がなされていない場合（Ｓ１０５：ＮＯ）、制御部２９は、カード処理部２２に、図５（ａ）ないし（ｃ）により説明した返却動作を行わせる。即ち、制御部２９は、出入機構１１５を動作させ、収納室１０８内からカードＣを取り出して処理位置まで移動させ（Ｓ１０６）、リーダライタ部１１１に、カードＣへの残有価価値などの情報の書き込みを行わせた後に（Ｓ１０７）、搬送機構１０２を動作させて、情報が書き込まれたカードＣを出入口２２ａに排出させる（Ｓ１０８）。さらに、制御部２９は、操作表示部２４に、それまで表示されていた待機画面（図示せず）など画面に替えて抜取報知画面Ｓ１を表示させる（Ｓ１０９）。抜取報知画面Ｓ１は、たとえば、図８（ａ）に示すような画面であり、遊技客に、カードＣの出入口２２ａからの抜取りを促す。その後、制御部２９は、Ｓ１０１の処理に戻って、再び、返却操作を監視する。抜取報知画面Ｓ１は、出入口２２ａからカードＣが抜き取られたことを出入検知センサ１２１が検知するまで操作表示部２４に表示され続ける。
【００９１】
一方、返却確認モードの設定がなされている場合（Ｓ１０５：ＹＥＳ）、制御部２９は、操作表示部２４に、それまでの画面に替えて返却確認画面Ｓ２を表示させる（Ｓ１１０）。返却確認画面Ｓ２は、たとえば、図８（ｂ）に示すような画面であり、返却確認ボタンＢ１と取消ボタンＢ２とを含む。
【００９２】
遊技客は、カードＣの返却を了承する場合に返却確認ボタンＢ１を押す。返却確認ボタンＢ１が押されると（Ｓ１１１：ＹＥＳ）、制御部２９は、カード処理部２２による返却動作に移る（Ｓ１０６〜Ｓ１０８）。また、遊技客は、カードＣの返却を中止する場合に取消ボタンＢ２を押す。取消ボタンＢ２が押されると（Ｓ１１２：ＹＥＳ）、制御部２９は、Ｓ１０１の処理に戻って、再び、返却操作を監視する。この際、操作表示部２４では、返却確認画面Ｓ２が閉じられて、待機画面などの画面が表示される。
【００９３】
プリペイド価値および持玉数がともに０である状態で返却ボタン１８が操作された場合には、Ｓ１０３においてプリペイド価値が０であると判定される。このような判定がなされた場合（Ｓ１０３：ＹＥＳ）、制御部２９は、返却操作を無効とし、Ｓ１０１の処理に戻って、再び、返却操作を監視する。
【００９４】
プリペイド価値が０であるかないかによらず、持玉数が０でない状態で返却ボタン１８が操作された場合には、Ｓ１０２において持玉数が０でないと判定されるため、次に、制御部２９は、持玉数が返却可能数以上であるか否かを判定する（Ｓ１１３）。制御部２９は、持玉数が返却可能数以上であれば（Ｓ１１３：ＹＥＳ）、台間カード処理機５が、先に出入口２２ａに排出されたカードＣの抜取待ち状態にあるか否かを判定する（Ｓ１０４）。一方、持玉数が返却可能数未満であれば（Ｓ１１３：ＮＯ）、持玉数に相当する個数のパチンコ玉を払い出す（Ｓ１１４）。さらに、制御部２９は、玉払出画面Ｓ３を操作表示部２４に表示させる（Ｓ１１５）。玉払出画面Ｓ３は、たとえば、図８（ｃ）に示すような画面であり、払い出されるパチンコ玉の個数の表示などを含む。
【００９５】
パチンコ玉の払出が完了すると、制御部２９は、Ｓ１０１の処理に戻って、再び、返却操作を監視する。この際、操作表示部２４では、玉払出画面Ｓ３が閉じられて、待機画面などの画面が表示される。
【００９６】
図９は、本実施形態に係る、カード回収処理の制御動作を示すフローチャートである。図１０は、本実施形態に係る、操作表示部２４に表示されるカード回収画面Ｓ４の一例を示す図である。
【００９７】
回収操作に基づいてカード処理部２２からカードＣを回収するため、制御部２９によってカード回収処理が実行される。
【００９８】
本実施形態の台間カード処理機５では、回収操作がなされる前にカード処理部２２の出入口２２ａに返却されたカードＣが抜取待ちの状態にあるときは、カード回収操作がなされても収納室１０８内のカードＣが新たに出入口２２ａに排出されないようにすることで、抜取待ちのカードＣが新たなカードＣに押し出されて外部に落下しないようになされている。
【００９９】
図９を参照して、制御部２９は、回収指令を受けたか否かを監視する（Ｓ２０１）。係員のリモコンにおいて回収操作が行われると、回収指令が台間カード処理機５に送られる。回収操作では、回収するカードＣの枚数が指定され、その指定枚数の情報も台間カード処理機５へ送られる。回収指令を受けると（Ｓ２０１：ＹＥＳ）、制御部２９は、台間カード処理機５が、回収指令を受ける前に出入口２２ａに排出したカードＣの抜取待ち状態にあるか否かを判定する（Ｓ２０２）。台間カード処理機５がカードＣの抜取待ち状態にある場合（Ｓ２０２：ＹＥＳ）、制御部２９は、回収指令、即ちリモコンによる回収操作を無効にし、Ｓ２０１の処理に戻って、再び、回収指令を監視する。これにより、回収操作が行われたにもかかわらず、カードＣは出入口２２ａに排出されない。
【０１００】
一方、台間カード処理機５がカードＣの抜取待ち状態にない場合（Ｓ２０２：ＮＯ）、制御部２９は、操作表示部２４に、それまでの画面に替えてカード回収画面Ｓ４を表示させる（Ｓ２０３）。カード回収画面Ｓ４は、たとえば、図１０に示すような画面であり、回収されるカードＣの枚数に係る情報が含まれる。次に、制御部２９は、出入機構１１５を動作させ、収納室１０８内からカードＣを取り出して処理位置まで移動させる（Ｓ２０４）。さらに、制御部２９は、搬送機構１０２を動作させて、カードＣを出入口２２ａに排出させる（Ｓ２０５）。
【０１０１】
次に、制御部２９は、指定枚数のカードＣが回収されたか否か（出入口２２ａに排出されたか否か）を判定する（Ｓ２０６：ＹＥＳ）。指定枚数のカードＣが回収されていなければ（Ｓ２０６：ＮＯ）、制御部２９は、出入口２２ａからカードＣが抜き取られたか否かを監視する（Ｓ２０７）。係員は、カードＣが出入口２２ａに排出されると、そのカードＣを抜き取って回収する。出入口２２ａからカードＣが抜き取られると（Ｓ２０７：ＹＥＳ）、制御部２９は、Ｓ２０４の処理に戻り、出入機構１１５および搬送機構１０２を動作させて、収納室１０８内から新たなカードＣを取り出し、出入口２２ａに排出させる（Ｓ２０４、Ｓ２０５）。こうして、指定枚数のカードＣの回収が完了すると（Ｓ２０６：ＹＥＳ）、制御部２９は、今回の回収処理を終了し、Ｓ２０１の処理に戻って、再び、回収指令を監視する。この際、操作表示部２４では、カード回収画面Ｓ４が閉じられて、待機画面などの画面が表示される。
【０１０２】
このように、カード返却処理およびカード回収処理では、出入口２２ａにカードＣが存在している間は、受け付けられた返却操作および回収操作が無効とされることで、移送機構ＴによるカードＣの移送が制限され、収納室１０８内の新たなカードＣが出入口２２ａに排出されなくなる。そして、出入口２２ａからカードＣが抜き取られると、返却操作および回収操作が無効とされなくなり、移送機構ＴによるカードＣの移送の制限が解除され、収納室１０８内の新たなカードＣが出入口２２ａに排出されるようになる。
【０１０３】
なお、カード返却処理やカード回収処理において、台間カード処理機５がカードＣの抜取待ち状態にあるとの判定（Ｓ１０４：ＹＥＳ、Ｓ２０２：ＹＥＳ）に基づいて、カードＣが出入口２２ａから抜き取られていないために返却操作あるいは回収操作が有効とならない旨を、操作表示部２４での画面表示やスピーカ等の音声報知部（図示せず）からの音声によって報知するようにしてもよい。
【０１０４】
さて、台間カード処理機５がカードＣの抜取待ち状態にあるときは、多くの場合、現在の遊技客がパチンコ台４でのプレイを継続していると見做すことができる。一方で、紙幣処理部２１の挿入口２１ａへ紙幣を投入する行為は、新しい遊技客がプレイを開始する行為と見做し得る。よって、台間カード処理機５がカードＣの抜取待ち状態にあるときに挿入口２１ａに投入された紙幣を台間カード処理機５が受け付けることは、必ずしも望ましくない。そこで、本実施形態では、台間カード処理機５がカードＣの抜取待ち状態にあるときには紙幣処理部２１での紙幣の受け付けが行われないようにされている。
【０１０５】
図１１は、本実施形態に係る、紙幣受付処理の制御動作を示すフローチャートである。図１２は、本実施形態に係る、操作表示部２４に表示される抜取催促画面Ｓ５の一例を示す図である。
【０１０６】
図１１を参照して、制御部２９は、投入検知センサ２１ｂにより挿入口２１ａに紙幣が投入されたか否かを監視する（Ｓ３０１）。挿入口２１ａに投入されると（Ｓ３０１：ＹＥＳ）、制御部２９は、台間カード処理機５がカードＣの抜取待ち状態にあるか否かを判定する（Ｓ３０２）。台間カード処理機５がカードＣの抜取待ち状態にない場合（Ｓ３０２：ＮＯ）、制御部２９は、紙幣処理部２１を動作させ、紙幣処理部２１内に紙幣を取り込むとともに（Ｓ３０３）、金種などの識別を行う（Ｓ３０４）。一方、台間カード処理機５がカードＣの抜取待ち状態にない場合（Ｓ３０２：ＮＯ）、制御部２９は、紙幣処理部２１を動作させない。これにより、紙幣が紙幣処理部２１内に取り込まれない。このとき、制御部２９は、操作表示部２４に、抜取報知画面Ｓ１に替えて抜取催促画面Ｓ５を表示させる（Ｓ３０５）。抜取催促画面Ｓ５は、たとえば、図１２に示すような、抜取報知画面Ｓ１の背景画像や文字をより目立つ色に変えるようにした画面など、遊技客に注目されやすくカードＣの抜取りが強く喚起されるような画面とされ得る。勿論、抜取催促画面Ｓ５は、抜取報知画面Ｓ１と大きく異なる内容の画面であってもよい。
【０１０７】
抜取催促画面Ｓ５による報知等により、遊技客は、カードＣが抜き取られていないことに気付くと、出入口２２ａからカードＣを抜き取る。このとき、挿入口２１ａにカードＣが投入されたままになっていれば、Ｓ３０２で台間カード処理機５がカードＣの抜取待ち状態にないとされて（Ｓ３０２：ＮＯ）、紙幣処理部２１による紙幣の受け付けが行われる（Ｓ３０３、Ｓ３０４）。
【０１０８】
このような構成とすれば、カードＣの抜取待ち中に、新たな遊技客により遊技が開始されることを抑制できる。
【０１０９】
このように、新しい遊技客のプレイ開始行為とされる紙幣の受け付けは制限されることが望ましい。一方で、パチンコ台４で獲得したパチンコ玉を計数して持玉とし、持玉であるパチンコ玉を払い出す行為（再プレイの行為）は、現在の遊技客が遊技を継続する行為と見做すことができる。よって、遊技の開始に繋がる行為ではあるが、計数や持玉の払出は、カードＣの抜取り待ち中にも許容されることが望ましい。ただし、所持しているパチンコ玉の払出であっても、カードＣの抜取り待ち中に行われ得る携帯電話機を利用した再プレイの操作（払出操作）による貯玉の払出は、紙幣の投入と同様、新しい遊技客が遊技を開始する行為と見做し得るので、許容されることが望ましくない。また、計数や持玉の払出の後には、新たなカードＣの返却が行われる可能性がある。よって、この返却までに、カードＣの抜取り待ちが解消されていることが望ましい。
【０１１０】
そこで、本実施形態では、このような課題を考慮した計数処理および払出処理が制御部２９により実行される。
【０１１１】
図１３（ａ）は、本実施形態に係る、計数処理の制御動作を示すフローチャートである。
【０１１２】
図１３（ａ）を参照して、制御部２９は、計数部２３へパチンコ玉が流入したか否かを監視する（Ｓ４０１）。計数部２３へパチンコ玉が流入すると（Ｓ４０１：ＹＥＳ）、制御部２９は、台間カード処理機５がカードＣの抜取待ち状態にあるか否かを判定する（Ｓ４０２）。台間カード処理機５がカードＣの抜取待ち状態にない場合（Ｓ４０２：ＮＯ）、制御部２９は、計数部２３により、流入したパチンコ玉の計数を行う（Ｓ４０３）。
【０１１３】
一方、台間カード処理機５がカードＣの抜取待ち状態にある場合（Ｓ４０２：ＹＥＳ）、制御部２９は、操作表示部２４に、抜取報知画面Ｓ１に替えて抜取催促画面Ｓ５（図１２参照）を表示させる（Ｓ４０４）。これにより、遊技客に、カードＣの抜取りが強く喚起される。そして、制御部２９は、計数部２３により、流入したパチンコ玉の計数を行う（Ｓ４０３）。
【０１１４】
図１３（ｂ）は、本実施形態に係る、払出処理の制御動作を示すフローチャートである。
【０１１５】
図１３（ａ）を参照して、制御部２９は、再プレイボタン２５または操作表示部２４のケータイ貯玉ボタンによる払出操作がなされたか否かを監視する（Ｓ５０１）。払出操作がなされると（Ｓ５０１：ＹＥＳ）、制御部２９は、パチンコ玉の払出が可能か否かを判定する（Ｓ５０２）。遊技客が持玉または貯玉（会員に限る）を保有しており、払出可能と判定されると（Ｓ５０２：ＹＥＳ）、制御部２９は、台間カード処理機５がカードＣの抜取待ち状態にあるか否かを判定する（Ｓ５０３）。台間カード処理機５がカードＣの抜取待ち状態にない場合（Ｓ５０３：ＮＯ）、制御部２９は、払出指令をパチンコ台４へ送り、パチンコ玉の払出を行う（Ｓ５０４）。
【０１１６】
一方、台間カード処理機５がカードＣの抜取待ち状態にある場合（Ｓ５０３：ＮＯ）、制御部２９は、操作表示部２４に、抜取報知画面Ｓ１に替えて抜取催促画面Ｓ５（図１２参照）を表示させる（Ｓ５０５）。これにより、遊技客に、カードＣの抜取りが強く喚起される。次に、制御部２９は、今回の払出操作が再プレイボタン２５によるものであるか否かを判定する（Ｓ５０６）。今回の払出操作が再プレイボタン２５によるものである場合（Ｓ５０６：ＹＥＳ）、即ち、持玉の払出しが行われる場合、制御部２９は、パチンコ玉の払出を行う（Ｓ５０４）。一方、今回の払出操作が再プレイボタン２５によるものでなくケータイ貯玉ボタンによるものである場合（Ｓ５０６：ＮＯ）、即ち、携帯電話機を利用した貯玉の払出が行われる場合、制御部２９は、今回の払出操作を無効とし、Ｓ５０１の処理に戻って、再び、払出操作を監視する。これにより、パチンコ玉の払出が行われない。
【０１１７】
なお、計数処理および払出処理において、抜取催促画面Ｓ５は、出入口２２ａからカードＣが抜き取られるまで操作表示部２４に表示され続ける。
【０１１８】
このような構成とすれば、カードＣの抜取り待ち中であっても、現在の遊技客は、獲得したパチンコ玉の計数および持玉の払出（持玉による再プレイ）を行うことができ、遊技を継続できる。また、計数や持玉の払出の後の新たなカードＣの返却の前に、出入口２２ａに残存するカードＣが遊技客に抜き取られやすくなる。さらに、新たな遊技客による、携帯電話機を利用した貯玉の払出に基づく遊技の開始を抑制することができる。
【０１１９】
なお、遊技施設内に遊技客がいないときになされ得る管理装置２（上位機種）からの閉店通知およびダウンロード通知を受けたときは、計数や持玉の払出と同様、台間カード処理機５がカードＣの抜取待ち状態にあっても、それら通知に基づく処理が行われるようにされるとよい。閉店通知を受けた場合は、一日の台間カード処理機５における計数結果、払出結果、売上等が台間カード処理機５から管理装置２に通知される。また、ダウンロード通知を受けた場合は、台間カード処理機５のバージョン等の更新が実行される。
【０１２０】
また、上述の通り、携帯電話機を利用した再プレイの操作は受け付けられない。しかしながら、携帯電話機を利用した遊技情報提供の操作は受け付けて、必要な遊技情報が操作表示部２４に表示されるようにするとよい。
【０１２１】
＜実施形態の効果＞
本実施形態によれば、以下の効果が奏され得る。
【０１２２】
出入口２２ａにカードＣが存在している状態で返却操作や回収操作がなされても、それら操作が無効とされ、収納室１０８内のカードＣが新たに出入口２２ａに排出されない。これにより、抜取待ちのカードＣが新たなカードＣに押し出されて外部に落下してしまうことが防止される。
【０１２３】
また、出入口２２ａにカードＣが存在している状態で返却操作や回収操作がなされたとき、新たなカードＣは、収納室１０８内に収納された状態に保持される。このため、新たなカードＣが、出入口２２ａまでは移動されないが一旦は収納室１０８から引き出されるような構成とされる場合と違い、遊技客がカードＣを出入口２２ａから抜き取った後に返却操作や回収操作を中止することが生じても、新たなカードＣを収納室１０８内に戻すような動作が発生しない。
【０１２４】
なお、上述の実施形態においては、台間カード処理機５がカードＣの抜取待ち状態にある場合においても、計数部２３による計数処理を行いうるようにしているが、カードＣの抜取待ち状態にある場合に、計数部２３による計数処理を制限するようにしてもよい。例えば、計数部２３による計数処理が行われ、カードＣが返却し得る状態（持玉数がカード返却可能数以上）となった場合に、収納室１０８からカードＣを取り出してリーダライタ部１１１まで移送し、その後の発行処理に備えるような構成とした場合には、計数部２３による計数処理により出入口２２ａで抜取り待ち状態となっているカードＣと新たに収納室１０８から取り出されるカードＣが干渉する可能性があるため、抜取り待ち状態となっている場合は計数処理自体を制限することが好ましい。また、抜取り待ち状態となっていない場合で、カードＣが返却し得る状態となった場合にはリーダライタ部１１１までカードＣを移送することで、カード発行速度を改善することが可能となる。なお、計数処理を制限する態様としては、受け入れた遊技媒体を内部に設けられた図示しないシャッターによって遮断することで計数を禁止する方法、遊技媒体がメダルである場合には、メダルを計数するための物理的な動作を行わないように制御することで計数を禁止する方法、計数が行われた場合に台間カード処理機５の表示や、上位装置への報知により警告を行う方法などがあるが、計数を制限することができれば特に限定されない。
【０１２５】
以上、本発明の実施形態について説明したが、本発明は、上記実施形態によって何ら制限されるものではなく、また、本発明の実施形態も、以下に示す通り、上記以外に種々の変更が可能である。
【０１２６】
＜変更例１＞
図１４は、変更例１に係る、カード返却処理の制御動作を示すフローチャートである。なお、本変更例のカード返却処理では、図７に示す上記実施形態のカード返却処理と比較した場合に、Ｓ１０３の処理が削除され、Ｓ１０６の処理とＳ１０７の処理と間にＳ１２１の処理が挿入される。
【０１２７】
上記実施形態では、出入口２２ａにカードＣが存在している状態で返却操作がなされたとき、新たなカードＣが収納室１０８内に収納されたままの状態とされた。
【０１２８】
これに対し、本変更例では、出入口２２ａにカードＣが存在している状態で返却操作がなされたとき、新たなカードＣは、収納室１０８内から処理位置まで引き出され、情報の書き込みが行われた後、出入口２２ａから先行のカードＣが抜き取られるまで、その位置に保留される。
【０１２９】
即ち、本変更例では、Ｓ１０３でプリペイド価値が０でないと判定されると（Ｓ１０３：ＮＯ）、カードＣの抜取待ちの有無の判定を行わずにＳ１０５への処理へと進む。その後、制御部２９は、収納室１０８内からカードＣを取り出して処理位置まで移動させ（Ｓ１０６）、リーダライタ部１１１にカードＣへの情報の書き込みを行わせた後（Ｓ１０７）、台間カード処理機５がカードＣの抜取待ちの状態にあるか否かを判定する（Ｓ１２１）。台間カード処理機５がカードＣの抜取待ちの状態にあれば（Ｓ１２１：ＹＥＳ）、制御部２９は、カードＣを処理位置に保留する。そして、制御部２９は、カードＣが出入口２２ａから抜き取られて抜取待ち状態が解消されると（Ｓ１２１：ＮＯ）、情報が書き込まれたカードＣを出入口２２ａに排出させる（Ｓ１０８）。
【０１３０】
本変更例の構成によれば、先行のカードＣが抜取待ちの状態にあっても、新たなカードＣを収納室１０８内から取り出して情報の書き込みまで完了させておくので、遊技客がカードＣを出入口２２ａから抜き取った後に、素早く、新たなカードＣを出入口２２ａに排出させることができる。
【０１３１】
なお、図９に示すカード回収処理においても、カード返却処理と同様、Ｓ２０２のカード抜取待ちの判定処理が削除され、Ｓ２０４で収納室１０８からカードＣが取り出された後に、カード抜取待ちの判定処理が行われるような変更が行われてよい。この場合、カードＣの抜取待ちの間、カードＣは、処理位置で待機されて出入口２２ａに排出されない。
【０１３２】
＜変更例２＞
図１５は、変更例２に係る、カード処理部２２の内部構造を模式的に示す平面図である。
【０１３３】
本変更例では、カード処理部２２に、収納室１０８からのカードＣの取り出しを阻止するための取出阻止装置１２２が設けられる。取出阻止装置１２２は、ソレノイド１２２ａと、ソレノイド１２２ａのオン、オフ動作によって収納室１０８内に対して出し入れされるプランジャ１２２ｂとを含む。取出阻止装置１２２は、制御部２９により駆動制御される。
【０１３４】
図１６は、変更例２に係る、取出阻止装置１２２の駆動制御を示すフローチャートである。図１７（ａ）は、変更例２に係る、取出阻止装置１２２がオンした状態のカード処理部２２を示す図であり、図１７（ｂ）は、変更例２に係る、取出阻止装置１２２がオンした状態で出入機構１１５が動作したときのカード処理部２２を示す図である。
【０１３５】
図１６を参照して、制御部２９は、台間カード処理機５がカードＣの抜取待ち状態にあるか否かを判定する（Ｓ６０１）。台間カード処理機５がカードＣの抜取待ち状態にない場合（Ｓ６０１：ＮＯ）、制御部２９は、取出阻止装置１２２、即ちソレノイド１２２ａをオフする（Ｓ６０２）。図１５のように、プランジャ１２２ｂは収納室１０８内に突出せず、支持板１０９に支えられたカードＣの動きがプランジャ１２２ｂにより阻止されない。このため、返却操作や回収操作に基づいて出入機構１１５が動作すると、図５（ａ）ないし（ｃ）に示す上記実施形態の返却動作と同様、収納室１０８内からカードＣが取り出されて処理位置へ移動された後、取り出されたカードＣが搬送機構１０２により搬送されて出入口２２ａへ排出される。
【０１３６】
一方、台間カード処理機５がカードＣの抜取待ち状態にある場合（Ｓ６０１：ＹＥＳ）、制御部２９は、取出阻止装置１２２、即ちソレノイド１２２ａをオンする（Ｓ６０３）。図１７（ａ）のように、プランジャ１２２ｂが収納室１０８内に突出する。これにより、返却操作や回収操作に基づいて出入機構１１５が動作したとき、図１７（ｂ）のように、収納室１０８の出口へ向かうカードＣの先端部分の動きが、突出したプランジャ１２２ｂにより阻止される。よって、カードＣは、収納室１０８内から取り出されず、出入口２２ａへ排出されない。
【０１３７】
本変更例によれば、収納室１０８に関連して設けられた取出阻止装置１２２により、先行のカードＣが出入口２２ａに存在する間、出入機構１１５による収納室１０８内からの新たなカードＣの取り出しが阻止される。これにより、抜取待ちのカードＣが新たなカードＣに押し出されて外部に落下してしまうことが防止される。
【０１３８】
＜その他の変更例＞
上記実施形態のカード返却処理では、Ｓ１０１で返却操作が受け付けられた後に、Ｓ１０４でカードＣの抜取待ちが判定された。しかしながら、カード返却処理において、Ｓ１０４の抜取待ちの判定処理をＳ１０１の処理の前に行うようにしてもよい。この場合、カードＣの抜取待ちの間は、Ｓ１０１の返却操作の監視（受付）が行われない。同様に、カード回収処理において、Ｓ２０２の抜取待ちの判定処理をＳ２０１の処理の前に行うようにしてもよい。この場合、カードＣの抜取待ちの間は、Ｓ２０１の回収指令の監視（受付）が行われない。
【０１３９】
また、上記実施形態のカード返却処理では、Ｓ１０４でカードＣの抜取待ち中であるとの判定がなされると、Ｓ１０１の処理に戻された。この場合、遊技客は、カードＣを出入口２２ａから抜き取った後に、再度、返却操作を行う必要がある。そこで、Ｓ１０４でカードＣの抜取待ち中であるとの判定がなされたときに、Ｓ１０１の処理に戻るのではなく、その状態で待機する（抜取待ちの判定を繰り返す）ようにし、抜取待ちが解除されたときにＳ１０５の処理に移行するように、カード返却処理が変更されてもよい。このようにすれば、カードＣの返却動作が自動で再開されるので、遊技客は、カードＣを出入口２２ａから抜き取った後に、再度、返却操作を行う必要がなくなる。同様に、カード回収処理において、Ｓ２０２でカードＣの抜取待ち中であるとの判定がなされたときに、その状態で待機するようにし、抜取待ちが解除されたときにＳ２０３の処理に移行するように変更されてもよい。このようにすれば、係員は、カードＣを出入口２２ａから抜き取った後に、再度、回収操作を行う必要がなくなる。
【０１４０】
さらに、上記変更例１では、収納室１０８からカードＣが取り出されて処理位置に移動され、処理位置においてリーダライタ部１１１によりカードＣへの情報の書き込みが行われた後に、カードＣの抜取待ちの判定が行われた。しかしながら、出入口２２ａにカードＣが放置され続けると紛失等に繋がる虞があるため、たとえば、抜取待ちの時間が長くなった場合に、カードＣを、一旦、カード処理部２２内に取り込むような構成を採用することも考えられる。このような場合に、新たなカードＣが処理位置まで移動されていると、取り込まれたカードＣと干渉してしまう虞がある。カード処理部２２の前後の長さを大きくすることで、カードＣ同士の干渉を防止することもできるが、この場合、台間カード処理機５が大きくなる虞がある。
【０１４１】
そこで、このような点を考慮する場合、処理位置よりも収納室１０８に近い位置を一時保留位置に設定し、収納室１０８内から取り出したカードＣを一時保留位置まで移動させ、その後にカードＣの抜取待ちの判定を行うようにしてもよい。この構成では、カードＣの抜取待ち中である場合、一旦、カードＣが一時保留位置に待機され、抜取待ちが解消されると、カードＣが処理位置まで移動されて情報の書き込みが行われる。このようにすれば、抜取待ちのカードＣがカード処理部２２内に戻されたとしても、このカードＣと新たなカードＣとの干渉を避けられ得る。
【０１４２】
さらに、上記実施形態では、カードＣが出入口２２ａから抜き取られたか否かを検知するために、出入検知センサ１２１が配置された。しかしながら、カードＣが出入口２２ａから抜き取られたか否かを検知する手段は、他の如何なる手段でもよい。たとえば、出入口２２ａに排出されたカードＣは、搬送機構１０２の前側の第１ローラ１０３と第２ローラ１０５との間に挟まれているため、カードＣが抜き取られることで、停止していた第１ローラ１０３および／または第２ローラ１０５が回転したときに、カードＣが抜き取られたと検知するようにしてもよい。
【０１４３】
さらに、上記実施形態において、出入口２２ａにカードＣが排出されてからカードＣが抜き取られることなく、所定の条件が満たされた場合、制御部２９により、カードＣが排出されたままになっている旨を報知する処理が行われたり、カードＣがカード処理部２２内に取り込まれる処理が行われたりするようにしてもよい。所定の条件は、たとえば、所定の制限時間の経過、遊技客によるパチンコ台４での遊技の終了などである。パチンコ台４側からアウトパルスおよびセーフパルスが出力されない状態が所定時間継続したとき、遊技が終了したと見做すことができる。
【０１４４】
このような構成とすれば、出入口２２ａにカードＣが放置され続けることで紛失等に繋がる危険性を低減できる。
【０１４５】
さらに、上記実施形態では、本発明の各台装置の一例として、パチンコ玉を弾発し、弾発されたパチンコ玉が盤面の所定の箇所に入球することにより抽選を行い、賞としてのパチンコ玉を付与する弾球遊技を行う弾球遊技機としてのパチンコ台４に併設され、パチンコ玉の貸与処理を行う台間カード処理機５が挙げられた。しかしながら、本発明の各台装置は、所定数の遊技媒体を、単位遊技を行うための遊技媒体として受け付けて始動操作により図柄が付された回胴の回転を行うとともに抽選を行い、その後、回胴の停止操作を受け付けて、回胴上に設定された停止ラインに所定の図柄組合せが揃ったことにより賞としての遊技媒体を付与する回胴遊技を行う回胴式遊技機であるパチスロ台に併設され、遊技媒体であるメダルの貸与処理を行う台間カード処理機に適用することもできる。なお、パチスロ台に併設される台間カード処理機に適用する場合には、パチスロ台からはメダルが投入された場合に投入（イン）信号、メダルが外部に払い出された場合に払出（アウト）信号が出力されるため、上記実施形態におけるアウトパルスに代えて投入信号、セーフパルスに代えて払出信号を用いることができる。
【０１４６】
さらに、本発明の各台装置は、遊技媒体が機内に封入されることにより、外部からは遊技媒体に触れることが制限され、台間カード処理機とは遊技媒体データを電子データとしてやり取りする遊技媒体封入型の遊技機に対して貸与処理を行う台間カード処理機にも適用することができる。このような遊技機を含むシステムにおいては、台間カード処理機はプリペイド価値、持玉数、貯玉数などをカードに記憶された情報から特定して記憶する。遊技機は、遊技できる玉数を記憶する記憶部を有する。台間カード処理機は、貸出操作、再プレイ操作がされると、記憶している有価価値を減算して、減算分の有価価値に対応する玉数を特定可能な情報を遊技機に送信する。遊技機は、台間カード処理機から送られてきた情報から特定した玉数を機内に記憶された遊技できる玉数に加算する。遊技機では、この玉数を用いて遊技が行われる。また、遊技機では、玉数の管理を移行する移行操作を受け付けて、遊技機で遊技できる玉数を台間カード処理機に管理を移行することができる。管理を移行するための移行操作が行われると、遊技機側の玉数が減算されて、減算分の玉数を特定可能な情報が台間カード処理機に送信される。台間カード処理機では、遊技機から送られてきた情報から特定した玉数が持玉数に加算される。また、遊技機からは大当り、確率変動等の遊技状態や、遊技機の記憶部に保持されている玉数が一定時間間隔ごとに通知されるため、これら遊技機から通知される情報に基づいて記録媒体の排出制御を行うことができる。このような遊技媒体封入型の遊技機を含むシステムにおいては、遊技に使用される遊技媒体は払い出されるわけではなく、電子的にデータとして付与されることになるが、遊技客への遊技媒体の提供の態様が異なるのみであるため、払い出しを電子的な付与に置換することで問題なく適用することができる。
【０１４７】
この他、本発明の実施形態は、特許請求の範囲に記載の範囲で適宜変更可能である。また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【符号の説明】
【０１４８】
４  パチンコ台（遊技台）
５  台間カード処理機（各台装置）
２２ａ  出入口（排出口）
２９  制御部（動作制限部）
１０８  収納室（収納部）
１１１  リーダライタ部（情報処理部）
１２１  出入検知センサ（検知部）
１２２  取出阻止装置（阻止部、動作制限部）
Ｔ  移送機構（移送部）
Ｃ  カード（記憶媒体）
【図１】
2019042443.tif 000003
【図２】
2019042443.tif 000004
【図３】
2019042443.tif 000005
【図４】
2019042443.tif 000006
【図５】
2019042443.tif 000007
【図６】
2019042443.tif 000008
【図７】
2019042443.tif 000009
【図８】
2019042443.tif 000010
【図９】
2019042443.tif 000011
【図１０】
2019042443.tif 000012
【図１１】
2019042443.tif 000013
【図１２】
2019042443.tif 000014
【図１３】
2019042443.tif 000015
【図１４】
2019042443.tif 000016
【図１５】
2019042443.tif 000017
【図１６】
2019042443.tif 000018
【図１７】
2019042443.tif 000019